(57)【要約】【課題】コンクリート打設時において仮枠に配管を確実に固定させる。【解決手段】排水管１０内にプラグ１１、１２をネジ１７を挿入し、プラグ１１、１２のネジ孔１１Ｃ、１２Ｃにネジ１７を螺合させ、プラグ１１、１２を締め回す。仮枠２０、２１との間に排水管１０を設置し、板孔２０Ｒ、２１Ｒを介して固定ボルト２２、２３をそれぞれプラグ１１、１２のネジ孔１１Ｂ、１２Ｂに羅合させ、ナット２４、２５を締め回す。コンクリート成形後、固定ボルト２２、２３を取り外し、仮枠２０、２１を外し、そしてプラグ１１、１２およびネジ１７を排水管１０から抜き出す。【選択図】　　　　図３
2004132049.tif 000002
【特許請求の範囲】
【請求項１】
コンクリート内に配管を設置するため、コンクリート打設において前記配管内に嵌入される配管設置用嵌入部材であって、
前記配管の内周面に沿って形成された係止部において当接する当接部と、
仮枠に前記配管を固定させるための固定手段と係合する固定手段係合部と、
前記係止部から前記配管の中央部の方向へ向かって延びる単一の安定ねじ部材部材と螺合する第２の孔が形成された螺合部とを備え、
前記安定ねじ部材が前記第２の孔と螺合した状態で前記配管の中央部へ向けて締め回され、前記固定手段を前記固定手段係合部に係合させることにより前記仮枠に固定されることを特徴とする嵌入部材。
【請求項２】
請求項１に記載の配管の端部に取り付けられ、筒状に形成されるとともに該配管に挿入される配管設置用嵌入部材を収容し、前記嵌入部材と当接するための係止部を備えたことを特徴とする継ぎ手。
【請求項３】
請求項１に記載の配管設置用嵌入部材に形成された第２の孔と螺合する単一のねじであって、
コンクリート内に設置される配管の内周面に沿って形成された係止部から前記配管の中央部の方向へ向かって延びる安定ねじ部材。
【請求項４】
請求項１に記載の配管設置用嵌入部材に形成された第１の孔に挿入される部材であって、
雌ねじが形成された前記第１の孔と螺合する固定ねじ部材。
【請求項５】
請求項１に記載の配管設置用嵌入部材が両端部において嵌合するように形成されていることを特徴とする配管。
【請求項６】
前記固定手段係合部が、前記固定手段を挿入させる第１の孔を有し、前記固定手段が前記第１の孔に挿入されることで前記配管が固定されることを特徴とする請求項１に記載の嵌入部材。
【請求項７】
前記固定手段係合部が、取り外し手段によって前記嵌入部材を前記配管から取り外すための挿入孔を有することを特徴とする請求項１に記載の嵌入部材。
【請求項８】
前記挿入孔が、取り外し工具と嵌合し、前記取り外し工具の回転に従って前記嵌入部材が緩むようになる孔であることを特徴とする請求項７に記載の嵌入部材。
【請求項９】
前記嵌入部材が、前記配管の中央部へ向く内側表面と前記仮枠へ向く外側表面を有する筒状の部材であり、
前記第１の孔および第２の孔がそれぞれ前記外側表面および内側表面に形成されるとともに、前記嵌入部材を貫通することなく前記配管の軸に沿って形成されていることを特徴とする請求項６に記載の嵌入部材。
【請求項１０】
前記固定手段が外周面に雄ねじを形成したねじ部材であり、前記第１の孔が雌ねじを形成し、前記固定手段が前記第１の孔において螺合することを特徴とする請求項６乃至請求項９のいずれかに記載の嵌入部材。
【請求項１１】
前記嵌入部材の前記配管の軸に沿った長さが、前記配管の端から前記係止部までの距離以下であることを特徴とする請求項１に記載の嵌入部材。
【請求項１２】
配管の両側から嵌入され、前記配管の両端部の内周面に沿って形成される一対の係止部と当接する一対の嵌入部材と、
前記一対の嵌入部材の間に配置された状態で前記一対の嵌入部材とそれぞれ螺合する単一の安定ねじ部材と、
コンクリート打設前に設置される一対の仮枠と前記配管とを固定させる一対の固定手段とを備え、
前記安定ねじ部材を前記一対の嵌入部材と螺合させた状態で、前記一対の嵌入部材が前記配管の中央部へ向けてそれぞれ締め回されることを特徴とする一式の配管設置用部材。
【請求項１３】
コンクリート打設において配管を設置するための配管設置方法であって、
前記配管の両端部の内周面に沿って形成される一対の係止部と当接し、単一の安定ねじ部材と螺合する螺合部を有する一対の嵌入部材を前記配管の両端からそれぞれ挿入させ、前記螺合部に単一の安定ねじ部材を螺合させ、前記係止部と当接させながら前記一対の嵌入部材をそれぞれ前記配管の中心部へ向けて締め付ける第１のステップと、
所定の位置に設置された一対の仮枠の間に前記一対の嵌入部材を含む前記配管を配置させる第２のステップと、
前記一対の嵌入部材において前記螺合部とは反対側に形成された外側螺合部に、前記配管を前記仮枠に固定するための一対の固定ボルトを螺合させる第３のステップと、
コンクリート成形後、前記一対の仮枠を取り外すとともに、前記固定ボルトを前記一対の嵌入部材から取り外す第４のステップと、
前記一対の嵌入部材を前記配管から取り外す第５のステップと
を含むことを特徴とする配管設置方法。
【請求項１４】
コンクリート内に配管を設置するため、コンクリート打設において前記配管内に嵌入される配管設置用嵌入部材であって、
前記配管の内周面に沿って形成された係止部において当接する当接部と、
前記配管の軸に沿って雌ねじが形成された螺合部を有し、
一対の仮枠との間に配置された前記配管内に、前記一対の仮枠の距離間隔以上の長さを有する安定ねじ部材を前記螺合部と螺合させながらねじ込み、
前記仮枠の両側を締め付けることにより、前記仮枠および前記配管に固定されることを特徴とする嵌入部材。
【請求項１５】
配管の両側から嵌入され、前記配管の両端部の内周面に沿って形成される係止部と当接する一対の嵌入部材と、
前記一対の嵌入部材とそれぞれ螺合し、所定の位置に配置された一対の仮枠の距離間隔以上の長さを有する単一の安定ねじ部材とを備え、
前記一対の仮枠との間に設置された前記配管内に、前記安定ねじ部材を前記一対の嵌入部材と螺合させながらねじ込み、
前記一対の仮枠の両側を締め付けることにより、前記仮枠に前記配管固定が固定されることを特徴とする一式の配管設置用部材。
【請求項１６】
コンクリート打設において配管を設置するための配管設置方法であって、
配管の両端部の内周面に沿って形成された係止部において当接し、前記配管の軸に沿って雌ねじが形成された螺合部を有する一対の嵌入部材を前記配管の両端に挿入させる第１のステップと、
前記配管を１対の仮枠の間に配置し、前記一対の仮枠の距離間隔以上の長さを有する単一の安定ねじ部材を前記一対の嵌入部材と螺合させながらねじ込む第２のステップと、
前記一対の仮枠の両側を締め付ける第３のステップと
コンクリート成形後、前記一対の仮枠を取り外すとともに、前記安定ねじ部材を前記一対の嵌入部材から取り外す第４のステップと、
前記一対の嵌入部材を前記配管から取り外す第５のステップと
を含むことを特徴とする配管設置方法。
【発明の詳細な説明】
【０００１】
【発明の属する技術分野】
本発明は、コンクリート建築構造物における給水、排水、あるいは換気用の配管設置に関し、特に、コンクリート内に配管を設置するためにコンクリート打設において使用される配管設置用部材に関する。
【０００２】
【従来の技術】
従来のコンクリート建築構造物では、コンクリート中に排水、排気、あるいは換気用配管等を埋設するため、所謂スリーブと呼ばれる筒状枠材が使用される。まず、コンクリート打設前に板状の仮枠（型枠）を設置し、筒状枠材を取り付けた配管部材を仮枠間に固定する。その後コンクリート打設を行い、コンクリートの固定化後に、仮枠および筒状枠材を取り外す。そして、コンクリート内部に設置された配管材を外部の配管材と接続させる（例えば、特許文献１参照）。
【０００３】
【特許文献１】
特開平５−２５８４４号公報（図１〜図６）
【０００４】
【発明が解決しようとする課題】
しかしながら、コンクリート壁などを設置する場合にはセメントをつき固めしながら仮枠間に流し込むため、枠材が不安定になる。その結果、枠材と配管材との間にズレが生じ、水漏れ等が生じる場合があった。
【０００５】
そこで本発明では、コンクリート打設時において仮枠に配管を確実に固定させることができる配管設置用部材および配管設置方法を得ることを目的とする。
【０００６】
【課題を解決するための手段】
本発明の第１の配管設置用嵌入部材は、コンクリート内に配管を設置するため、コンクリート打設において配管内に嵌入される。この嵌入部材は、スリーブのように中空状に形成されておらず、配管の両端部（継ぎ手）に収められる。すなわち、プラグは配管内へ嵌入あるいは挿入される。本発明の嵌入部材は、配管の内周面に沿って形成された係止部において当接する当接部と、仮枠に配管を固定させるための固定手段と係合する固定手段係合部と、係止部から配管の中央部の方向へ向かって延びる単一の安定ねじ部材と螺合する第２の孔が形成された螺合部とを備えることを特徴とする。本発明の嵌入部材を適用してコンクリート打設を行う場合、まず、安定ねじ部材が第２の孔と螺合した状態で配管の中央部へ向けて締め回される。そして、仮枠の間に配管が配置されると、固定手段を固定手段係合部と係合させることにより仮枠に固定される。
【０００７】
例えば、配管の両端は継ぎ手によって構成されている場合、継ぎ手は、筒状に形成されるとともに該配管に挿入される配管設置用嵌入部材を収容し、嵌入部材と当接するための係止部とを備える。第２の孔と螺合する単一の安定ねじ部材は、配管の内周面に沿って形成された係止部から配管の中央部の方向へ向かって延びることを特徴とする。また、固定手段を締め回すことにより嵌入部材を仮枠に固定する場合、固定手段はねじ部材であって、雌ねじが形成された第１の孔と螺合するように雌ねじが第１の孔に形成される。
【０００８】
嵌入部材を締め付けることによって嵌入部材は配管の中央部へ向けて力を作用させる（配管中央部から見れば、嵌入部材は配管中央部側へ引っ張られているとみなせる）。その結果、仮枠の間に配置された配管は、軸方向に沿ってしっかりと位置決めされる。これにより、仮枠の間に配管を配置して仮枠と嵌入部材を固定する作業中においても、配管と嵌入部材との間にずれが生じず、コンクリート打設において配管が軸方向に沿って安定する。
【０００９】
例えば固定手段係合部は、固定部材を挿入させる第１の孔を有するのが好ましく、例えば、嵌入部材は、配管の中央部の方を向く内側表面と仮枠の方を向く外側表面を有する筒状の部材として構成され、第１の孔および第２の孔がそれぞれ外側表面および内側表面に形成されるとともに、嵌入部材を貫通することなく配管の軸に沿って形成される。より好ましくは、第１の孔が雌ねじを形成し、ねじ部材である固定手段と羅合するのがよい。この場合、ボルトなどの部材を第１の孔にねじ込むことにより、仮枠に嵌入部材、すなわち配管が固定される。
【００１０】
コンクリートが固定して仮枠が取り外された後に嵌入部材を取り外すため様々な構成が考えられるが、簡易に取り外すことを考慮し、固定手段係合部は、取り外し手段によって嵌入部材を配管から取り外すための挿入孔を有することが望ましい。例えば、挿入孔は、取り外し工具と嵌合し、取り外し工具の回転に従って嵌入部材が緩むように形成されるのがよい。あるいは、取り外し工具を用いないで取り外せるように、加入部材に指を挿入でき、指で嵌入部材を緩め回すことが可能な孔を設けるようにしてもよい。
【００１１】
従来のコンクリート打設では、仮枠を取り外した後、枠材を取り付けたままで別の工事が行われる場合があり、工事器具がコンクリート表面から突出する枠材と接触し、コンクリート内の配管に損傷を与えていた。したがって、嵌入部材の配管の軸に沿った長さは、配管の端から係止部までの距離以下であることが好ましい。これにより、仮枠を取り外した後でも嵌入部材はコンクリート表面から突出しない。その結果、従来では必要とされたコンクリート打設後の配管周りに対する様々な処理を行わなくて済む。
【００１２】
本発明における第１の一式の配管設置用部材は、配管の両側から嵌入され、配管の両端部の内周面に沿って形成される一対の係止部と当接する一対の嵌入部材と、一対の嵌入部材の間に配置された状態で一対の嵌入部材とそれぞれ螺合する単一の安定ねじ部材と、コンクリート打設前に設置される一対の仮枠と配管とを固定させる一対の固定手段とを備え、安定ねじ部材を一対の嵌入部材と螺合させた状態で、一対の嵌入部材が配管の中央部へ向けてそれぞれ締め回されることを特徴とする。
【００１３】
本発明のコンクリート打設において配管を設置するための第１の配管設置方法は、配管の両端部の内周面に沿って形成される一対の係止部と当接し、単一の安定ねじ部材と螺合する螺合部を有する一対の嵌入部材を配管の両端からそれぞれ挿入させ、螺合部に単一の安定ねじ部材を螺合させ、係止部と当接させながら一対の嵌入部材をそれぞれ配管の中心部へ向けて締め付ける第１のステップと、所定の位置に設置された一対の仮枠の間に一対の嵌入部材を含む配管を配置させる第２のステップと、一対の嵌入部材において螺合部とは反対側に形成された外側螺合部に、配管を仮枠に固定するための一対の固定ボルトを螺合させる第３のステップと、コンクリートが形成された後、一対の仮枠を取り外すとともに、固定ボルトを一対の嵌入部材から取り外す第４のステップと、一対の嵌入部材を配管から取り外す第５のステップとを含むことを特徴とする。
【００１４】
本発明の第２の配管設置用嵌入部材は、仮枠に配管を固定する段階において配管を安定化させる。嵌入部材は、配管の内周面に沿って形成された係止部において当接する当接部と、配管の軸に沿って雌ねじが形成された螺合部を有し、一対の仮枠との間に配置された配管内に、一対の仮枠の距離間隔以上の長さを有する安定ねじ部材を螺合部と螺合させながらねじ込み、仮枠の両側を締め付けることにより、仮枠および配管に固定されることを特徴とする。仮枠によって嵌入部材が配管の中央部へ向けて押し込まれることにより、嵌入部材が配管にしっかり固定され、配管が軸方向に沿って安定する。
【００１５】
本発明における第２の一式の配管設置用部材は、配管の両側から嵌入され、配管の両端部の内周面に沿って形成される係止部と当接する一対の嵌入部材と、一対の嵌入部材とそれぞれ螺合し、所定の位置に配置された一対の仮枠の距離間隔以上の長さを有する単一の安定ねじ部材とを備え、一対の仮枠との間に設置された配管内に、安定ねじ部材を一対の嵌入部材と螺合させながらねじ込み、一対の仮枠の両側を締め付けることにより、仮枠に配管固定が固定されることを特徴とする。
【００１６】
本発明の第２の配管設置方法は、配管の両端部の内周面に沿って形成された係止部において当接し、配管の軸に沿って雌ねじが形成された螺合部を有する一対の嵌入部材を配管の両端に挿入させる第１のステップと、配管を１対の仮枠の間に配置し、一対の仮枠の距離間隔以上の長さを有する単一の安定ねじ部材を一対の嵌入部材と螺合させながらねじ込む第２のステップと、一対の仮枠の両側を締め付ける第３のステップとコンクリートが形成された後、一対の仮枠を取り外すとともに、安定ねじ部材を一対の嵌入部材から取り外す第４のステップと、一対の嵌入部材を配管から取り外す第５のステップとを含むことを特徴とする。
【００１７】
【発明の実施の形態】
以下では、図面を参照して、本発明の実施形態である配管設置用の部材一式および配管設置方法について説明する。
【００１８】
図１は配管および配管設置用部材一式を示した断面図である。また、図２は配管設置用部材の１つである嵌入部材を示した図である。本実施形態では、コンクリート打設において、排水管を設置するために配管設置用部材一式が使用される。
【００１９】
図１に示す排水管１０はビニール性パイプＢＰによって管状に形成されており、排水管１０の両端には、管状の継ぎ手１３、１４が接着剤などによってパイプＢＰに取り付けられている。排水管１０内部には、一対の嵌入部材（以下では、プラグという）１１、１２とネジ１７とが挿入されており、ネジ１７はプラグ１１、１２それぞれと螺合している。
【００２０】
図２には、プラグ１１の平面図（ａ）、側面図（ｂ）および断面図（ｃ）が示されており、断面図は平面図の一点鎖線Ａ−Ａ’における断面図である。プラグ１１は円錐台状に形成されており、排水管１０内に挿入される場合、下面１１Ｌが排水管１０の中央部ＰＡを向くように挿入される。上面１１Ｕには六角形状のレンチ孔１１Ｆが形成されており、六角レンチ（図示せず）が必要に応じて嵌められる。さらに、レンチ孔１１Ｆの底面１１Ｇには、固定ボルト（ここでは図示せず）がねじ込まれるネジ孔１１Ｂが形成されており、ネジ孔１１Ｂの内面に沿って雌ねじ１１Ｋが形成されている。一方、下面１１Ｌには、ネジ１７を差し込むためのネジ孔１１Ｃが形成されており、ネジ孔１１Ｃの内面に沿って雌ねじ１１Ｔが形成されている。プラグ１２も、プラグ１１と同様の構成となっている。
【００２１】
プラグ１１、１２は継ぎ手１３、１４に実質的に嵌合するように形成されており、継ぎ手１３、１４の内周面とプラグ１１、１２の外周面との間隙はほとんどない。また、ネジ孔１１Ｃおよびネジ孔１１Ｂは、プラグ１１の中心軸Ｃに沿って形成されており、排水管１０内に挿入された場合、プラグ１１の軸Ｃは、実質的に排水管１０の軸と一致する。
【００２２】
コンクリートを打設する前、図１に示すように、まずネジ１７が排水管１０の内部へ通される。このとき、ネジ１７の一端を下面１１Ｌに形成されたネジ孔１１Ｃに螺合させた状態で継ぎ手１３の開口部１３Ａから挿入される。そして、継ぎ手１４の開口部１４Ａからプラグ１２が挿入され、プラグ１２の下面１２Ｌに形成されたネジ孔１２Ｃにネジ１７の一端が螺合される。
【００２３】
継ぎ手１３、１４には、プラグ１１、１２を係止させる凸状の係止部１５、１６が内周面に沿って一周するように形成されており、六角レンチをレンチ孔１１Ｆ、１２Ｆに嵌め込んでプラグ１１、１２を締め回し続けると、プラグ１１、１２の上面１１Ｕ、１２Ｕがそれぞれ係止部１５、１６と当接する。さらにプラグ１１、１２を締め回すことにより、係止部１５、１６とプラグ１１、１２とが互いに押し合った状態になり、排水管１０はプラグ１１、１２によって軸Ｅに沿って締め付けられる。すなわち、プラグ１１、１２はネジ１７によって排水管１０に対し確実に固定され、排水管１０は軸Ｅに対して剛性が強くなる。なお、ネジ１７の長さは、排水管１０の係止部１５、１６間隔以上であり、プラグ１１、１２を係止部１５、１６に締め付けることが可能となるように定められている。
【００２４】
プラグ１１、１２の軸Ｃに沿った長さは、継ぎ手１３、１４の周縁面１３Ｂ、１４Ｂから係止部１５、１６までの距離よりも短い。したがって、プラグ１１、１２は、継ぎ手１３、１４にそれぞれ完全に収容され、プラグ１１、１２の上面１１Ｕ、１２Ｕが周縁面１３Ｂ、１４Ｂから突出することはない。
【００２５】
次に、図３を用いて、プラグ１１、１２を取り付けた排水管１０をコンクリート打設の過程で設置する手順について説明する。
【００２６】
まず、板状の仮枠（型枠）２０、２１が所定の場所に設置される。仮枠２０、２１には所定の位置に板孔２０Ｒ、２１Ｒが形成されており、配水管１０の軸Ｅが板孔２０Ｒ、２１Ｒの中心を通るように排水管１０が仮枠２０、２１間に配置される。その状態で、排水管１０を仮枠２０、２１に固定するため、雄ねじ２２Ｂ、２３Ｂが形成された固定ボルト２２、２３が板孔２０Ｒ、２１Ｒに通され、プラグ１１、１２のネジ孔１１Ｂ、１２Ｂと螺合する。このとき、ワッシャ２６、２７、ナット２４、２５を介して固定ボルト２２、２３が板孔２０Ｒ、２１Ｒに通される。ナット２４、２５が締め回されることにより、配水管１０が仮枠２０、２１との間にしっかりと固定される。
【００２７】
配水管１０が仮枠２０、２１の間に固定された後、突き固めされながらセメントが所定量流し込まれる。セメントが固まってコンクリートになると、ナット２４、２５が緩められ、固定ボルト２２、２３とともにナット２４、２５、ワッシャ２６、２７が取り外される。そして、仮枠２０、２１が取り外されると、コンクリート壁面が現われる。プラグ１１、１２は、コンクリート壁面から突出することなく継ぎ手１３、１４内に収容されている。
【００２８】
仮枠２０、２１が取り外された後、六角レンチがプラグ１１、１２いずれかのレンチ孔１１Ｆ、１２Ｆにはめ込まれ、六角レンチを回すことによりプラグ１１、１２のいずれかがネジ１７から取り外される。そして、残ったプラグおよびネジ１７を排水管１０から取り除くことにより、排水管１０がコンクリート壁の中に設置され、一連の工程が終了する。
【００２９】
このように第１の実施形態によれば、一対のプラグ１１、１２がネジ１７と螺合し、プラグ１１、１２が継ぎ手１３、１４の間で互いに排水管１０の中央部へ向けて締め回されることにより、排水管１０の軸Ｅに対する剛性が増して安定し、水漏れなどが生じない。
【００３０】
ここで、プラグ１１、１２は、図４に示すような形状によって構成してもよい。変形例として図４に示したプラグ１１１では、仮枠２０、２１の側を向く上面１１１Ｕが下面１１１Ｌの径よりも小さく、上面１１１Ｕ、下面１１１Ｌそれぞれに応じて径が異なる。他の変形例であるプラグ１２１では、上面１２１Ｕ周りに鍔１２１Ｋが形成されており、鍔１２１Ｋに沿ってコンクリート壁面が形成される。他の変形例であるプラグ１３１は、プラグ１１１とは逆に、下面１３１Ｌの径が上面１３１Ｕの径より小さい。そして、リング状の周面１３１Ｎが継ぎ手１３、１４の係止部１５、１６と当接する。他の変形例であるプラグ１４１では、継ぎ手１３、１４の係止部１５、１６と当接する突出部１４１Ｈがプラグ１４１の外周面周りに形成されている。そして、他の変形例であるプラグ１５１では、プラグ１２１と同様に鍔１５１Ｋが形成され、プラグ１３１と同様に周面１５１Ｎが係止部１５、１６と当接する。なお、ネジ孔１１Ｃの深さとネジ孔１１Ｂの深さを略同じとなるように構成してもよい。
【００３１】
また、本実施形態では、プラグ１１、１２の上面１１Ｕ、１２Ｕには、プラグ１１を取り外すための六角レンチ穴１１Ｆが形成されているが、図５に示すように、それ以外の構成によってプラグ１１、１２を継ぎ手１３、１４から取り外すようにしてもよい。プラグ１６１では、上面１６１Ｕにおいてネジ孔１６１Ｂ上を通るように直線状の孔１６１Ｆが形成されている。プラグ１６１を締め付けあるいは取り外す場合、例えば１０円玉などの硬化を使用することができる。プラグ１７１では、上面１７１Ｕにおいてネジ孔１７１Ｂ上を通るように十字状の孔１７１Ｆが形成されている。プラグ１８１では、一文字ハンドル１８５を用いてプラグ１８１を取り外せるように、２つの嵌入孔１８１Ｆが上面１８１Ｕにおいて形成されている。そして、プラグ１９１では、上面１９１Ｕにおいてネジ孔１９１Ｆが形成されており、ドライバを使用することによってプラグ１９１が取り外される。
【００３２】
次に、図６、７を用いて第２の実施形態について説明する。第２の実施形態では、仮枠の間に一本のボルトを通して排水管を設置する。
【００３３】
図６は、第２の実施形態における配管設置用部材一式を含む排水管の断面図であり、図７は、第２実施形態のプラグの断面図である。
【００３４】
ボルト１７Ａは仮枠２０、２１間の距離以上の長さを有し、板孔２０Ｒ、排水管１０内を通って仮枠２１の板孔２１Ｒから突出する。プラグ２１１には、ボルト１７Ａと螺合する開放ネジ孔２１１Ｂが形成されており、第１の実施形態と同様に上面２１１Ｕには六角レンチ孔２１１Ｆが形成されている。一方、プラグ２１１と対になるプラグ２１２では、配水管側の下面から右ネジ周りにボルト１７Ａが螺合するようにネジ孔２１２Ｂが形成されている。ここでは、プラグ２１１、２１２の排水管１０の軸方向に沿った長さは、継ぎ手１３、１４の円周面１３Ｂ、１４Ｂから係止部１５、１６までの距離と実質的に等しく、プラグ２１１、２１２の上面２１１Ｕ、２１２Ｕは仮枠２０、２１と密接する。
【００３５】
第２の実施形態による排水管の設置手順を説明すると、まず、プラグ２１１、２１２をそれぞれ継ぎ手１３、１４内に嵌め、所定の位置に設置された仮枠２０、２１の間に配水管１０を配置する。そして、板孔２０Ｒ、２１Ｒを介してボルト１７Ａを配水管１０内に通す。このとき、ボルト１７Ａはナット２４、ワッシャ２６を介して板孔２０Ｒに挿入され、ボルト１７Ａをプラグ２１１、２１２と螺合させながら締め回す。そして、ワッシャ２７、ナット２５を仮枠２１から突出したボルト２２Ｂに嵌め、ナット２５を締め付ける。その結果、第１の実施形態と同様、プラグ２１１、２１２が互いに排水管１０の中方部ＰＡへ向けて押し合う状態となり、プラグ２１１、２１２が排水管１０にしっかりと固定され、排水管１０の軸Ｅに対する剛性が上がる。
【００３６】
その後、第１の実施形態と同様に、セメントが仮枠２０、２１の間に流し込まれ、セメントが固定化した後、ボルト１７Ａが取り外され、仮枠２０、２１も取り外される。その結果、排水管１０がコンクリート壁の中に設置される。
【００３７】
このように第２の実施形態によれば、１本のボルト１７Ａとプラグ２１１、２１２により、排水管１０が仮枠２０、２１の間で確実に固定される。なお、第１の実施形態におけるプラグの変形例（図４、図５）を、適宜プラグ２１１、２１２に適応させてもよい。
【００３８】
本実施形態では排水管１０が設置されているが、それ以外の給水管、換気用管を設置するのに上述した配管設置用部材を使用してもよい。また、プラグが係止部１５、１６と当接し、ネジ１７、ボルト１７Ａと羅合しながら締め回されるのであれば、図４、図５に示した以外の構成によるプラグを使用してもよい。また、係止部１５はプラグ１１、１２と当接するように形成されていればよく、一定間隔で凸部を形成するようにしてもよい。
【００３９】
第１の実施形態では固定ボルト２２、２３がプラグ１１、１２と螺合する構成になっているが、プラグ１１、１２が排水管１０に締め付けられた状態で螺合以外の構成でプラグ１１、１２が仮枠に固定されるようにしてもよい。例えば、雌ねじを形成しない孔を有するようにプラグを構成し、その孔と嵌合する部材を用意し、部材を操作することによってプラグを締め回すようにしてもよい。さらには、突起した凸部をプラグ上面に形成し、その凸部と係合する部材を操作することによってプラグを締め回すようにしてもよい。
【００４０】
次に、図８、図９を用いて、第１および第２の実施形態におけるプラグの変形例について説明する。
【００４１】
図８は、プラグの１つの変形例を示した図である。図８に示すように、プラグ３１１の下面３１１Ｌに形成されたネジ孔３１１Ｃには、孔の径が下面３１１Ｌに行くほど広がるテーパー状のガイド孔３１１Ｊが形成されている。これにより、ボルトをプラグ３１１に螺合させることが容易となる。なお、図４に示したプラグの変形例に対し、この変形例と同様にプラグの下面にガイド孔を形成するように構成してもよい。また、第２の実施形態におけるプラグに対し、この変形例と同様に上面および下面にそれぞれガイド孔を形成するように構成してもよい。
【００４２】
図９は、他の変形例であるプラグの上から見た平面図（ａ）および断面図（ｂ）である。断面図は、平面図の軸線Ｃ−Ｃ’に沿った図である。
【００４３】
プラグ４１１では、上面４１１Ｕが十字状のハンドル（ステアリング）形状を有しており、プラグ４１１の中心に対して対称的に４つの指孔４１１Ｑが形成されている。また、上面４１１Ｕには、ネジ孔４１１Ｂに向かってテーパー状に細くなるガイド孔４１１Ｊ２が形成されている。下面４１１Ｌには、図８と同様にネジ孔４１１Ｃにおいてガイド孔４１１Ｊ１が形成されている。ネジ孔４１１Ｃの深さとネジ孔４１１Ｂの深さは略同じである。
【００４４】
指穴４１１Ｑは指が挿入できて嵌合するような深さ、大きさを有しており、プラグ４１１を取り外す場合、レンチ等の取り外し器具を使用せずに指を使用するだけプラグ４１１が緩む。
【００４５】
なお、図４に示したプラグの変形例（特にプラグ１１１）に対し、この変形例と同様にプラグの両面にガイド孔を形成し、十字状のハンドル形状を有するように構成してもよい。また、第２の実施形態において示したプラグに対し、この変形例と同様にハンドル形状を有するプラグとなるように構成してもよい。
【００４６】
この変形例では、十字状のハンドル形状を有したプラグが示されているが、八手状、すなわち中心を通る８本の当接部と８つの指穴が中心に対して対称的に形成されたプラグを構成するようにしてもよい。さらに、図９に示したプラグの変形例に対し、ガイド孔４１１Ｊ１、４１１Ｊ２を形成せずにネジ孔のみの構成にしてもよい。
【００４７】
【発明の効果】
以上のように本発明によれば、コンクリート打設時において仮枠に配管を確実に固定させることができる。
【図面の簡単な説明】
【図１】配管および配管設置用部材一式を示した断面図である。
【図２】配管設置用部材一式の中のプラグを示した図である。
【図３】排水管をコンクリート打設の過程で設置する工程を示した図である。
【図４】プラグの断面形状に関する変形例を示した図である。
【図５】プラグの取り外し用の孔に関する変形例を示した図である。
【図６】第２の実施形態における配管設置用部材一式を含む排水管の断面図である。
【図７】第２の実施形態におけるプラグの断面図である。
【図８】他のプラグの変形例を示した図である。
【図９】他のプラグの変形例を示した図である。
【符号の説明】
１０　排水管（配管）
１１、１２　プラグ（嵌入部材）
１１Ｕ、１２Ｕ　上面（当接部）
１１Ｂ、１２Ｂ　ネジ孔（第１の孔、固定手段係合部）
１１Ｃ、１２Ｃ　ネジ孔（第２の孔）
１１Ｌ　下面（螺合部）
１１Ｆ、１２Ｆ　挿入孔
１３、１４　継ぎ手
１５、１６　係止部
１７　ネジ（安定ねじ部材）
１７Ａ　ボルト（安定ねじ部材）
２０、２１　仮枠
２２、２３　ボルト（固定手段、固定ねじ部材）
２１１、２１２　プラグ
２１１Ｂ、２１２Ｂ　ネジ孔（螺合部）
【図１】
2004132049.tif 000003
【図２】
2004132049.tif 000004
【図３】
2004132049.tif 000005
【図４】
2004132049.tif 000006
【図５】
2004132049.tif 000007
【図６】
2004132049.tif 000008
【図７】
2004132049.tif 000009
【図８】
2004132049.tif 000010
【図９】
2004132049.tif 000011